(57)【特許請求の範囲】
【請求項１】
臨時固定部上に多数の紐を結合してベース部を製作する段階と、
前記ベース部にかつら固定具を結合する段階と、
前記ベース部にかつら用髪の毛を連結する段階と、
前記臨時固定部を外す段階と、
を含むかつらの製作方法であって、
前記かつら固定具は、前記臨時固定部を外す段階を行った後に使用者の頭にクリップ結合されるように構成される、かつらの製作方法。
【請求項２】
前記かつら固定具は、一側方向に曲面を形成する弾性材質の本体と、前記本体から延長する多数の固定脚部とを備え、
前記本体の周りには網が結合される、請求項１に記載のかつらの製作方法。
【請求項３】
前記臨時固定部は、ビニール材質で形成され、
前記多数の紐は、前記ベース部に待ち針によって仮固定される、請求項１に記載のかつらの製作方法。
【請求項４】
前記ベース部には、前記かつら固定具を結合するために前記多数の紐が互いに交差して結ばれた結び目部が形成され、
前記結び目部には、前記かつら固定具が固定される、請求項１に記載のかつらの製作方法。
【請求項５】
前記結び目部は、かぎ針または一般針によって形成され、少なくともキルト糸、合成糸、釣糸のうちいずれか１つを利用することによって互いに交差した前記多数の紐を結ぶ方式によって製作される、請求項４に記載のかつらの製作方法。
【請求項６】
臨時固定部上に多数の紐を結合してベース部を製作する段階と、
前記ベース部の紐にかつら用髪の毛を結んで結合する段階と、
前記臨時固定部を外す段階と、
を含むかつらの製作方法であって、
前記ベース部の前記紐は、前記臨時固定部を外す段階を行った後に、使用者の髪の毛と結合して固定されるように構成され、
前記ベース部の紐と使用者の髪の毛との固定は、使用者の髪の毛のうち少なくとも１つ以上を、前記紐を間に置いて結ぶか、グルーまたはシリコンを利用して付けるか、編み込むか、または、髪の毛を押すリングによって結合する方式によって行われる、かつらの製作方法。
【発明の詳細な説明】
【技術分野】
【０００１】
本発明は、かつらの製作方法に関し、より詳細には、かつらを着用する人がカバーしたい部分の髪の毛の量と、髪の毛の長さと、カバーしたい面積に応じて異なるように製作することができる上に、かつら用髪の毛を連結する紐の数を調節することによってかつら用髪の毛の量を調節することもでき、着用者の頭から簡単には脱落しない、かつらの製作方法に関する。
【背景技術】
【０００２】
かつらは、固定式かつらと着脱式かつらとに区分されるのが一般的である。
【先行技術文献】
【特許文献】
【０００３】
【特許文献１】韓国特許出願公開第１０−２００５−００３３５９４号明細書
【特許文献２】韓国特許出願公開第１０−２０１２−０１１３０６０号明細書
【発明の概要】
【発明が解決しようとする課題】
【０００４】
固定式かつらは、約１〜２ヶ月持続して使用することができるが、接着剤などを使って頭皮に直接付着する方式であることから、頭皮の損傷はもちろん、かつらの使用者の実際の髪の毛が抜けるなどの問題点があった。
【０００５】
着脱式かつらは、クリップ式のいわゆるパッチンピンを利用して着用するのが一般的であり、クリップを差し込めるように髪の毛の大きさよりも若干大きめに製作される。しかし、このような従来の着脱式かつらは、クリップで髪の毛に固定するときに安定感が低いことからずれが生じ、これによって毛髪が抜ける現象が生じて部分脱毛が発生する恐れがある。さらに、かつらを使用しているときに風が吹くと、本人の毛髪と連結している部位が分離してクリップが見えて不自然であり、過激な運動をしたり手で頭を引っ張ったりすると簡単に分離してしまうという問題点があった。
【０００６】
本発明は、従来の問題点を解決するためのものであって、使用者の髪の毛に固定したときに容易に分離することを防ぐことができるようにし、髪の毛に固定したときに安着感が優れるためずれることがなく、毛髪が抜ける現象を抑えることができる、かつらの製作方法を提供する。 
【０００７】
また、本発明は、風が吹いたときに、本人の毛髪と連結しているクリップ部位が分離したように見えず、目立たずに自然であり、過激な運動をしたり手で頭を引っ張ったりしても簡単に分離することのない、かつらの製作方法を提供する。 
【０００８】
また、本発明は、使用者の髪の毛の状態に応じて多様な大きさに製作することができ、かつら用髪の毛の量を調節することができる、かつらの製作方法を提供する。
【０００９】
また、本発明は、使用者の髪の毛がほぼ無いか、またははげ頭である場合でも、これをカバーすることができるように頭皮付着部が備えられている、かつらの製作方法を提供する。
【００１０】
また、本発明は、使用者の髪の毛と緊密に結合し、使用者の髪の毛との間に間隔を発生させない、かつらの製作方法を提供する。
【００１１】
さらに、本発明は、使用者が必要に応じて約１〜２ヶ月と長期に渡って頭に付着したい場合には、使用者の毛髪を結んで固定型として使用することもできるし、使用者の頭に着脱可能に付着したい場合には、網で覆われたクリップ形態のかつら固定具または両面テープが付着されたウレタン、ウレタン網、スキン付着用特殊網、毛髪付着用ベルクロ（登録商標（以下同じ））を利用して半固定型として使用こともできる、かつらおよびその製作方法を提供する。
【課題を解決するための手段】
【００２２】
本発明の一実施形態に係るかつらの製作方法は、臨時固定部上に多数の紐を結合してベース部を製作する段階と、前記ベース部にかつら固定具を結合する段階と、前記ベース部にかつら用髪の毛を連結する段階と、前記臨時固定部を外す段階と、を含むかつらの製作方法であって、前記かつら固定具は、前記臨時固定部を外す段階を行った後に使用者の頭にクリップ結合されるように構成されてもよい。
【００２３】
また、前記かつら固定具は、一側方向に曲面を形成する弾性材質の本体と、前記本体から延長する多数の固定脚部とを備え、前記本体の周りには網が結合されてもよい。
【００２４】
また、前記臨時固定部はビニール材質で形成され、前記多数の紐は前記ベース部に待ち針によって仮固定されてもよい。
【００２５】
また、前記ベース部には、前記かつら固定具を結合するために前記多数の紐が互いに交差して結ばれている結び目部が形成され、前記結び目部には、前記かつら固定具が固定されてもよい。
【００２６】
また、前記結び目部は、かぎ針または一般針によって形成され、少なくともキルト糸、合成糸、釣糸のうちいずれか１つを利用することで、互いに交差した前記多数の紐を結ぶ方式によって製作されてもよい。
【００２７】
本発明の他の実施形態に係るかつらの製作方法は、臨時固定部上に多数の紐を結合してベース部を製作する段階と、前記ベース部の紐にかつら用髪の毛を結んで結合する段階と、前記臨時固定部を外す段階と、を含むかつらの製作方法であって、前記ベース部の前記紐は、前記臨時固定部を外す段階を行った後に、使用者の髪の毛と結合して固定されるように構成され、前記ベース部の紐と使用者の髪の毛との固定は、使用者の髪の毛のうち少なくとも１つ以上を、前記紐を間に置いて結ぶか、グルーまたはシリコンを利用して付けるか、編み込むか、または、髪の毛を押すリングによって結合する方式によって行われてもよい。
【発明の効果】
【００３０】
本発明によると、かつらを、使用者の髪の毛の状態に応じて多様な大きさに製作することができる。
【００３１】
また、使用者がカバーしたい髪の毛のない部位の形態に応じてベース部の紐の間隔と数を調節することにより、かつら用髪の毛の量を調節することができる。
【００３２】
また、使用者がカバーしたい部位の髪の毛が極めて少ないか、または、はげ頭である場合には、その形態に応じて多様な形状の頭皮付着部を製作することにより、カバーが可能となる。
【００３３】
また、かつらのベース部に備えられる多数の紐の間に結び目部を形成することにより、それぞれの紐の間が広がることを防ぐことができる。
【００３４】
さらに、使用者が、必要に応じて約１〜２ヶ月間と長期に渡って頭に付着したい場合には、使用者の毛髪を結んで固定型として使用することもできるし、使用者の頭に着脱可能に付着したい場合には、クリップ形態のかつら固定具または両面テープが付着されたウレタン、ウレタン網、スキン付着用特殊網、毛髪付着用ベルクロを利用して半固定型として使用することもできる。
【図面の簡単な説明】
【００３５】
【図１】本発明の第１実施形態における、かつらの製作方法の順序を示したフローチャートである。
【図２】本発明の第１実施形態における、かつらを製作するためのベース部を示した平面図である。
【図３】本発明の第１実施形態における、かつらを製作するためのかつら固定具を示した平面図である。
【図４】本発明の第１実施形態における、かつらを製作するためのかつら固定具の斜視図である。
【図５】図５（ａ）は、本発明の第１実施形態における、ベース部の平面図である。図５（ｂ）は、図５（ａ）のベース部の一端に第１かつら固定具が結合された形態を示した平面図である。図５（ｃ）は、図５（ｂ）のベース部の他端に第２かつら固定具が結合された形態を示した平面図である。
【図６】図６（ａ）は、本発明の第２実施形態における、ベース部の平面図である。図６（ｂ）は、図６（ａ）のベース部の一端に第１かつら固定具が結合された形態を示した平面図である。図６（ｃ）は、図６（ｂ）のベース部の他端に第２かつら固定具が結合された形態を示した平面図である。
【図７】本発明の第３実施形態における、かつらの平面図である。
【図８】本発明の第３実施形態における、かつらのベース部に多数の結び目部が形成された形態を示した平面図である。
【図９】本発明の第１実施形態における、かつらのベース部に頭皮付着部が備えられたことを示した平面図である。
【図１０】本発明の第３実施形態における、かつらのベース部に頭皮付着部が備えられたことを示した平面図である。
【図１１】本発明の第１実施形態における、かつらのベース部の一側に頭皮付着部が備えられたことを示した平面図である。
【図１２】本発明の第３実施形態における、かつらのベース部の一側に頭皮付着部が備えられたことを示した平面図である。
【図１３】本発明の第１実施形態における、かつらのベース部にかつら用髪の毛が連結された形態を示した斜視図である。
【図１４】本発明の第４実施形態における、かつらを示した図である。
【図１５】本発明の第５実施形態における、かつらの製作方法の順序を示したフローチャートである。
【図１６】多様な形態の固定式かつらを示した図である。
【図１７】多様な方式によって固定式かつらが使用者の頭に固定されることを示した図である。
【図１８】本発明の第６実施形態における、かつらの製作方法を示した図である。
【図１９】本発明の第６実施形態における、かつらの製作過程で使用されるかつら用髪の毛の束が備えられた糸を示した図である。
【図２０】本発明の第７実施形態における、かつらの製作方法を示した図である。
【図２１】本発明の第８実施形態における、かつらに紐または多増毛が水平方向に並んで配置された様子を示した図である。
【図２２】本発明の第８実施形態における、かつらに紐または多増毛が水平および垂直方向に互いに交差する様子を示した図である。
【発明を実施するための形態】
【００３６】
以下、図を参照しながら、本発明の具体的な実施形態について詳細に説明する。ただし、本発明の思想がこのような実施形態に制限されてはならず、本発明の思想は、実施形態をなす構成要素の付加、変更、および削除などによって異なるように提案されてもよいが、これも発明の思想に含まれる。
【００３７】
図１は、本発明の一実施形態における、かつらの製作方法の順序を示したフローチャートである。
【００３８】
図１を参照すると、本発明の一実施形態に係るかつらの製作方法は、ビニールなどの臨時固定部１１上に多数の紐を結合してベース部１０を製作する段階Ｓ１０と、ベース部１０にかつら固定具２０を結合する段階Ｓ２０と、ベース部１０に人毛または人造毛髪などのかつら用髪の毛を連結する段階Ｓ３０と、ビニールなどの臨時固定部１１を外す段階Ｓ４０と、使用者の頭にかつら固定具（第１かつら固定具２１、第２かつら固定具２２）をクリップ結合する段階Ｓ５０とを含んでもよい。
【００３９】
図１には、クリップ形式のかつら固定具が備えられたかつらの製作方法が示されているが、このようなクリップ形式のかつら固定具は、使用者の頭にかつらを着脱可能に結合することが可能であることから、半固定型かつらとして使用することができる。
【００４０】
以下、図を参照しながら、上述したそれぞれの段階について詳しく説明する。
【００４１】
図２は、本発明の一実施形態における、かつらを製作するためのベース部を示した断面図である。
【００４２】
図２を参照すると、本発明の一実施形態に係るかつらを製作するためのベース部１０は、一方向に延長する多数の紐１０ａ、１０ｂ、・・・を含んでもよい。このとき、多数の紐を固定するための臨時固定部１１が備えられてもよい。臨時固定部１１はビニール材質で形成されてもよく、使用者の頭にかつら固定具２０をクリップ結合する前に、前記ビニールなどの臨時固定部１１を外してから使用してもよい。
【００４３】
ベース部１０を形成する多数の紐１０ａ、１０ｂ、・・・は、予め設定された間隔に離隔して並んで配置されてもよい。このとき、多数の紐は、少なくとも合成糸などの各種糸で形成されてもよい。
【００４４】
ベース部１０は、かつらを施術または着用したい人の実際の髪の毛の量や、髪の毛の長さ、カバーしたい面積に応じて多様な大きさおよび形態で製作されてもよい。ベース部１０を製作するときに、多数の紐１０ａ、１０ｂ、・・・は、臨時固定部１１上に待ち針（Ｐ）によって固定されてもよい。
【００４５】
図３は、本発明の一実施形態における、かつらを製作するためのかつら固定具を示した平面図であり、図４は、本発明の一実施形態における、かつらを製作するためのかつら固定具の斜視図である。
【００４６】
図３および図４を参照すると、本発明の一実施形態に係るかつら固定具２０は、実際の人の髪の毛に固定される部分であって、かつらを着用したときに使用者の頭から脱落しないようにする役割をする。
【００４７】
かつら固定具２０は、ベース部１０の一端と他端にそれぞれ結合されるように、第１かつら固定具２１と第２かつら固定具２２を含んでもよい。
【００４８】
第１かつら固定具２１は、若干の曲面を有する四角形状で形成される第１本体２１０と、第１本体２１０の上面に一体に形成される多数の第１固定脚部２１１を備えてもよい。
【００４９】
これと同様に、第２かつら固定具２２も、若干の曲面を有する四角形状で形成される第２本体２２０と、第２本体２２０の上面に一体に形成される多数の第２固定脚部２２１を備えてもよい。このとき、第１本体２１０と第２本体２２０には、網２１２、２２２が結合されてもよい。網２１２、２２２は、第１本体２１０および第２本体２２０の各面をすべて覆う形態で結合されてもよく、第１本体２１０および第２本体２２０の縁部分に余裕をもつように結合されてもよい。網２１２、２２２は、第１本体２１０および第２本体２２０に縫合によって固定されるか、接着剤によって付着されるか、ねじ、ボルト、ピンなどの結合部材によって固定されてもよい。
【００５０】
より詳細に、第１本体２１０に備えられる第１固定脚部２１１と第２本体２２０に備えられる第２固定脚部２２１は、一端がそれぞれ第１本体２１０および第２本体２２０に固定されており、他端は第１本体２１０および第２本体２２０から離隔した状態であってもよい（図４参照）。このとき、第１本体２１０および第２本体２２０は、少なくとも弾性の合成樹脂材質で形成されてもよい。かつらを着用する前には、かつら固定具（第１かつら固定具２１、第２かつら固定具２２）の固定脚部（第１固定脚部２１１、第２固定脚部２２１）の一部が本体（第１本体２１０、第２本体２２０）から離隔している状態であるが、かつらを頭に固定させたときには、第１本体２１０と第２本体２２０のラウンド部分を手で押すと弾性変形が起こり、多数の第１固定脚部２１１および第２固定脚部２２１と第１本体２１０および第２本体２２０とが完全に密着して結合するようになる。
【００５１】
言い換えれば、第１固定脚部２１１と第２固定脚部２２１は、一例として、パッチンピンの原理と類似している。前記パッチンピンの中央部分を押すとパッチンピンの面が反対方向に反れるという原理と同様に、第１固定脚部２１１と第２固定脚部２２１を押すと第１本体２１０と第２本体２２０が反対方向に反れてラウンド形状に形成され、第１固定脚部２１１および第２固定脚部２２１と第１本体２１０および第２本体２２０とが完全に密着するようになる。
【００５２】
本体（第１本体２１０、第２本体２２０）と固定脚部（第１固定脚部２１１、第２固定脚部２２１）が密着し、本体（第１本体２１０、第２本体２２０）と固定脚部（第１固定脚部２１１、第２固定脚部２２１）との間に位置する髪の毛が本体（第１本体２１０、第２本体２２０）および固定脚部（第１固定脚部２１１、第２固定脚部２２１）によって加圧されることにより、第１かつら固定具２１および第２かつら固定具２２が髪の毛に固定されるようになる。このような方式によって第１かつら固定具２１および第２かつら固定具２２が使用者の髪の毛に結合することを「クリップ結合」と称する。
【００５３】
また、第１本体２１０および第２本体２２０を覆う、すなわち、第１本体２１０および第２本体２２０の上面、下面、両側面を覆う網２１２、２２２は、縫合によってベース部１０の紐１０ａ、１０ｂ、・・・にしっかりと固定させてもよい。言い換えれば、網２１２、２２２が第１本体２１０および第２本体２２０の全面を覆うことにより、ベース部１０の紐１０ａ、１０ｂ、・・・に網２１２、２２２を結合する場合、第１かつら固定具２１および第２かつら固定具２２とベース部１０との間に間隔が発生せず、これにより、着用者がかつらを着用した状態のときに風などが吹いたとしても、第１かつら固定具２１および第２かつら固定具２２とベース部１０との間に間隔が発生しないため、かつらを着用者の髪の毛にしっかりと付着させることができる。
【００５４】
図５（ａ）は、本発明の一実施形態における、ベース部の平面図であり、図５（ｂ）は、図５（ａ）のベース部の一端に第１かつら固定具が結合された形態を示した断面図であり、図５（ｃ）は、図５（ｂ）のベース部の他端に第２かつら固定具が結合された形態を示した断面図である。
【００５５】
図５を参照すると、本発明の一実施形態に係るかつらを製作するためには、先ず、ビニールなどの臨時固定部１１上に多数の紐を結合させてベース部１０を製作する段階Ｓ１０を経てもよい（図５（ａ）参照）。この場合、多数の紐１０ａ、１０ｂ、・・・は、予め設定された間隔に離隔して並んで配置されてもよい。言い換えれば、多数の紐１０ａ、１０ｂ、・・・は、それぞれ平行な状態に配置されるようになる。
【００５６】
一例として、かつらを着用する人の髪の毛の量が少なく、かつら用髪の毛を一般的な量よりも多く連結したいときには、多数の紐の間隔を予め設定された間隔よりも狭くすることにより、さらに多くのかつら用髪の毛を連結することができる。これとは反対に、かつら用髪の毛を一般的な量よりも少なく連結したいときには、多数の紐の間隔を予め設定された間隔よりも広くすることにより、かつら用髪の毛をさらに少なく連結することができる。
【００５７】
ベース部１０には、多数の紐１０ａ、１０ｂ、・・・を臨時に固定させる臨時固定部１１が備えられてもよく、臨時固定部１１に待ち針（Ｐ）によって固定されてもよい。
【００５８】
次に、ベース部１０の紐１０ａ、１０ｂ、１０ｃ、・・・に第１かつら固定具２１が結合されてもよい（図５（ｂ）参照）。第１かつら固定具２１は、ベース部１０の一端に、第１かつら固定具２１の網２１２をベース部１０の紐１０ａ、１０ｂ、１０ｃ、・・・に縫合して結合されてもよい。
【００５９】
多数の紐１０ａ、１０ｂ、・・・がベース部１０にすべて臨時固定（仮固定）されている状態で第１かつら固定具２１が結合されるときには待ち針（Ｐ）を外してもよく、第１本体２１０を覆っている網２１２を、ベース部１０の紐１０ａ、１０ｂ、１０ｃ、・・・に針と糸を利用して縫って固定させてもよい。
【００６０】
次に、ベース部１０に第２かつら固定具２２を結合してもよい（図５（ｃ）参照）。第２かつら固定具２２は、ベース部１０の他端に結合されてもよい。すなわち、第１かつら固定具２１と第２かつら固定具２２は、ベース部１０上で対称となる位置に備えられてもよい。一例として、第１紐１０ａの一端部が第１かつら固定具２１の一側端部に結合されている状態で、第１紐１０ａの他端部は、第２かつら固定具２２の一側端部に結合されてもよい。
【００６１】
図６（ａ）は、本発明の第２実施形態における、ベース部の平面図であり、図６（ｂ）は、図６（ａ）のベース部の一端に第１かつら固定具が結合された形態を示した平面図であり、図６（ｃ）は、図６（ｂ）のベース部の他端に第２かつら固定具が結合された形態を示した平面図である。
【００６２】
図６を参照すると、本発明の第２実施形態に係るかつらを製作するためには、先ず、ベース部１０に備えられた多数の紐がジグザグ形態に配置されてもよい（図６（ａ）参照）。このとき、ベース部１０には、多数の紐１０ａ、１０ｂ、・・・を臨時に固定させるビニールなどの臨時固定部１１が備えられてもよく、臨時固定部１１に待ち針（Ｐ）によって固定されてもよい。
【００６３】
ベース部１０に第１かつら固定具２１と第２かつら固定具２２を結合させる段階Ｓ２０では、ベース部１０に第１かつら固定具２１および第２かつら固定具２２を結合させる前に、ベース部１０の一側と他側に、それぞれベース部１０を構成する紐が横、縦格子に多数が結ばれて形成される結び目部１２、１３が形成されてもよい。一例として、それぞれの結び目部１２、１３は、ベース部１０で矢印方向に沿って形成されてもよく、結び目部１２、１３の広さは、第１かつら固定具２１および第２かつら固定具２２の広さに対応するように形成されてもよい。
【００６４】
結び目部１２、１３は、それぞれかぎ針（図示せず）または一般的な針と糸によって２〜３回結ばれて形成されてもよく、少なくともキルト糸、合成糸、釣糸などによって製作されてもよい。
【００６５】
次に、ベース部１０に第１かつら固定具２１を結合してもよい（図６（ｂ）参照）。このとき、第１かつら固定具２１は、ベース部１０の一側に形成された結び目部１２に結合されてもよい。
【００６６】
次に、ベース部１０に第２かつら固定具２２を結合してもよい（図６（ｃ）参照）。このとき、第２かつら固定具２２は、ベース部１０の他側に形成された結び目部１３に結合されてもよい。
【００６７】
本発明の第２実施形態に係るかつらのベース部１０は、第１かつら固定具２１および第２かつら固定具２２が結合される部分に結び目部１２、１３が形成されるだけでなく、ベース部１０の中央部分に、多数の紐１０ａ、１０ｂ、・・・の間が広がることを防ぐための固定結び目部１４が少なくとも１つ以上形成されてもよい。固定結び目部１４は、多数の紐１０ａ、１０ｂ、・・・と同じように、少なくとも合成糸などの各種糸で形成されてもよい。さらに、髪の毛の補強のために、多増毛、すなわち、多数のかつら用髪の毛の束が予め設定された間隔に離隔して結ばれている紐を縦方向に連結してもよい。
【００６８】
図７は、本発明の第３実施形態における、かつらの平面図であり、図８は、本発明の第３実施形態における、かつらのベース部に多数の結び目部が形成された形態を示した断面図である。
【００６９】
図７および図８を参照すると、本発明の第３実施形態に係るかつらは、本発明の第１実施形態に係るかつらを少なくとも１つ以上結合して製作されてもよい。より詳細に、使用者がカバーしたい面積が広い場合には、本発明の一実施形態に係るかつらを結合して製作することにより、さらに多くの部位をカバーすることができる。
【００７０】
一例として、本発明の第１実施形態に係るかつらの製作方法によって製作されたかつらを２つ連結したとする。この場合には、２つのかつらのうちいずれか１つのかつらの下端部と残りのかつらの上端部とを、針と糸を利用して縫って製作してもよい。２つのかつらを連結する場合には、ベース部１０と第１かつら固定具２１および第２かつら固定具２２が、それぞれ２つずつ結合されてもよい。
【００７１】
２つのかつらのうちいずれか１つのかつらは、本発明の第１実施形態に係るかつらと同じように、ベース部１０と、第１本体２１０と第１固定脚部２１１を含む第１かつら固定具２１と、第２本体２２０と第２固定脚部２２１を含む第２かつら固定具２２とを含んでもよい。さらに、２つのかつらのうちの残りのかつらは、ベース部１０と、第１本体２１０’と第１固定脚部２１１’と、第２本体２２０’と第２固定脚部２２１’とを含んでもよい。このとき、第１かつら固定具２１の部分には網２１２、２１２’が結合されてもよく、第２かつら固定具２２の部分にも網２２２、２２２’が結合されてもよい。
【００７２】
また、ベース部１０の中央部分には、多数の紐１０ａ、１０ｂ、・・・の間が広がることを防ぐための固定結び目部１４が少なくとも１つ以上形成されてもよい。固定結び目部１４は、多数の紐１０ａ、１０ｂ、・・・と同じように、少なくとも合成糸などの各種糸で形成されてもよい。また、髪の毛の補強のために、多増毛、すなわち、多数のかつら用髪の毛の束が予め設定された間隔に離隔して結ばれている紐を縦方向に連結してもよい。
【００７３】
固定結び目部１４の半分は、ベース部１０の上端部から中央部に向かって製作されてもよく、残りの半分は、ベース部１０の下端部から中央部に向かって製作されてもよい。一例として、固定結び目部１４の半分は、ベース部１０の多数の紐１０ａ、１０ｂ、・・・のうち、第１列、第２列、第３列方向に製作されてもよい。
【００７４】
図９は、本発明の一実施形態における、かつらのベース部に頭皮付着部が備えられたことを示した断面図であり、図１０は、本発明の第３実施形態における、かつらのベース部に頭皮付着部が備えられたことを示した断面図であり、図１１は、本発明の一実施形態における、かつらのベース部の一側に頭皮付着部が備えられたことを示した断面図であり、図１２は、本発明の第３実施形態における、かつらのベース部の一側に頭皮付着部が備えられたことを示した断面図である。
【００７５】
図９〜図１２を参照すると、本発明の一実施形態または第３実施形態に係るかつらのベース部１０には、頭皮付着部１５、１６が備えられてもよい。
【００７６】
頭皮付着部１５、１６は、使用者の頭で髪の毛が少ないとか無い部分に直接付着される部分であって、ウレタン材質で形成されてもよい。頭皮付着部１５、１６は、使用者の髪の毛が少ないとか無い部分の形態に応じて円形、三角形、四角形などのような多様な形態で製作されてもよく、頭皮付着部１５、１６の位置を使用者の髪の毛の状態に応じて調節してもよい。
【００７７】
頭皮付着部１５は、ベース部１０の中央部に備えられてもよい（図９および図１０参照）。一例として、頭皮付着部１５は三角形状に製作されてもよく、多数の紐の上に備えられてもよい。頭皮付着部１５の下には、頭皮付着部１５を安定的に支持するために、ベース部１０の紐１０ａ、１０ｂ、１０ｃ、・・・が格子状に形成されてもよい。また、頭皮付着部１５の下には、ベース部１０の紐１０ａ、１０ｂ、１０ｃ、・・・が枠形状に対応する形状で形成されて頭皮付着部１５の縁を支持してもよい。
【００７８】
また、使用者がカバーしたい面積が広い場合には、本発明の第３実施形態に係るかつらのベース部１０のうち上部のベース部１０、すなわち、使用者の頭皮に固定される位置に頭皮付着部１５が結合されてもよい。
【００７９】
また、頭皮付着部１６は、ベース部１０の上端に備えらえてもよい（図１１および図１２参照）。一例として、頭皮付着部１６は正方形状に製作されてもよく、多数の紐のうち最上端に位置する紐に結合されてもよい。
【００８０】
図１３は、本発明の一実施形態における、かつらのベース部にかつら用髪の毛が連結された形態を示した斜視図である。
【００８１】
図１３を参照すると、本発明の一実施形態に係るかつらのベース部１０の紐１０ａ、１０ｂ、１０ｃ、・・・に人毛または人造毛髪などのかつら用髪の毛を結んで結合してもよい（Ｓ３０）。
【００８２】
かつら用髪の毛は、人の髪の毛と当接するかつらのベース部１０の反対面に、前記かぎ針によって連結されてもよい。
【００８３】
かつら用髪の毛は、使用者の髪の毛の量や、髪の毛の長さ、カバーしたい面積に応じて多くを連結するか、少なく連結してもよい。
【００８４】
以下、本発明の第１〜第３実施形態に係る第１かつら固定具２１と第２かつら固定具２２を備えたかつらの製作方法について説明する。
【００８５】
先ず、本発明の第１実施形態に係るかつらは、ビニールなどの臨時固定部１１上に一方向に延長する多数の紐１０ａ、１０ｂ、１０ｃ、・・・を結合してベース部１０を製作してもよい（Ｓ１０）。この段階において、多数の紐１０ａ、１０ｂ、・・・は、予め設定された間隔に離隔して配置されてもよい。このとき、ベース部１０は、使用者の髪の毛の量や、髪の毛の長さ、カバーしたい面積に応じて多様な大きさに製作されてもよい。
【００８６】
次に、ベース部１０の紐１０ａ、１０ｂ、１０ｃ、・・・に第１かつら固定具２１と第２かつら固定具２２を縫合して結合してもよい（Ｓ２０）。この段階において、第１かつら固定具２１はベース部１０の一端に結合され、第２かつら固定具２２はベース部１０の他端に結合されてもよい。
【００８７】
かつら固定具２０は、ベース部１０に針と糸を利用して縫い付けられてもよい。本発明の一実施形態に係るかつらのかつら固定具２０は、一例として、かつら固定具２０の縁部分をベース部１０の紐１０ａ、１０ｂ、１０ｃ、・・・と縫い合わせてもよい。
【００８８】
次に、ベース部１０の紐１０ａ、１０ｂ、１０ｃ、・・・に人毛または人造毛髪などのかつら用髪の毛を結んで結合してもよい（Ｓ４０）。ただし、ベース部１０の紐１０ａ、１０ｂ、１０ｃ、・・・には、図１９に示すように、多数のかつら用髪の毛の束が予め設定された間隔に離隔して結ばれているもの（これを多増毛と称する）であることもあり、このような多増毛をベース部１０に結合した場合には、紐１０ａ、１０ｂ、１０ｃ、・・・に人毛または人造毛髪などのかつら用髪の毛を結ぶ段階が省略されてもよい。
【００８９】
次に、ビニールなどの臨時固定部１１をベース部１０から外してもよく（Ｓ４０）、使用者の髪の毛にかつら固定具２０をクリップ結合して固定させてもよい（Ｓ５０）。
【００９０】
また、本発明の第２実施形態に係るかつらは、ビニールなどの臨時固定部１１上から一方向に延長する多数の紐１０ａ、１０ｂ、１０ｃ、・・・を結合してベース部１０を製作してもよい（Ｓ１０）。この段階において、多数の紐１０ａ、１０ｂ、・・・は、ジグザグ形態に配置されてもよい。このとき、ベース部１０は、使用者の髪の毛の量や、髪の毛の長さ、カバーしたい面積に応じて多様な大きさに製作されてもよい。
【００９１】
次に、ベース部１０に第１かつら固定具２１と第２かつら固定具２２を縫合して結合してもよい（Ｓ２０）。この段階において、第１かつら固定具２１はベース部１０の一端に結合され、第２かつら固定具２２はベース部１０の他端に結合されてもよい。
【００９２】
一例として、ベース部１０にかつら固定具２０の大きさと対応する結び目部１２、１３を予め製作しておいた後に、結び目部１２、１３の位置にかつら固定具２０を結合してもよい。結び目部１２、１３は、かぎ針によって製作されてもよく、少なくともキルト糸、合成糸、釣糸のうちいずれか１つによって製作されてもよい。
【００９３】
次に、ベース部１０と第１かつら固定具２１および第２かつら固定具２２に、人毛または人造毛髪を連結してもよい（Ｓ３０）。
【００９４】
次に、ビニールなどの臨時固定部１１をベース部１０から外してもよく（Ｓ４０）、使用者の髪の毛にかつら固定具２０をクリップ結合して固定させてもよい（Ｓ５０）。
【００９５】
また、本発明の第３実施形態に係るかつらは、ビニールなどの臨時固定部１１上から一方向に延長する多数の紐１０ａ、１０ｂ、１０ｃ、・・・を結合してベース部１０を製作してもよい（Ｓ１０）。本発明の第３実施形態に係るかつらの場合には、使用者の髪の毛の量とカバーしたい面積に応じてベース部１０を多数結合して製作してもよい。
【００９６】
次に、ベース部１０に、第１かつら固定具２１と第２かつら固定具２２を縫合して結合してもよい（Ｓ２０）。この段階において、第１かつら固定具２１は、多数が結合されたベース部１０それぞれの一端に結合され、第２かつら固定具２２は、多数が結合されたベース部１０それぞれの他端に結合されてもよい。すなわち、かつら固定具２０は、ベース部１０の数に比例して複数が備えられてもよい。
【００９７】
次に、ベース部１０と第１かつら固定具２１および第２かつら固定具２２に、人毛または人造毛髪を連結してもよい（Ｓ３０）。
【００９８】
次に、ビニールなどの臨時固定部１１をベース部１０から外してもよく（Ｓ４０）、使用者の髪の毛にかつら固定具２０をクリップ結合して固定させてもよい（Ｓ５０）。
【００９９】
また、本発明の実施形態らに係るかつらの製作方法において、ベース部１０には、使用者の頭皮に直接固定される頭皮付着部１５、１６が備えられてもよい。使用者の髪の毛の量が極端に少ないか、はげ頭である場合には、このような部位に頭皮付着部１５、１６を付着用することによってかつらを着用することができる。このとき、頭皮付着部１５、１６は、使用者がカバーしたい部分の形態に応じて多様な形状に製作されてもよい。
【０１００】
図１４は、本発明の第４実施形態における、かつらを示した図である。
【０１０１】
図１４を参照すると、本実施形態に係るかつら２は、第１〜第３実施形態のように、使用者の髪の毛に着脱可能に結合する半固定式かつらである。ただし、本実施形態に係るかつら２には、クリップ結合形式のかつら固定具２０の代わりに、ウレタン、ウレタン網、スキン付着用特殊網材質の頭皮付着部１５または毛髪付着用ベルクロが備えられてもよい。
【０１０２】
より詳細に、かつら２のベース部１０は、横方向の紐１０１と縦方向の紐１０２とで構成された格子形態の紐を備えてもよく、このような紐にスキン用両面テープを結合した頭皮付着部１５が備えられてもよい。このような頭皮付着部１５は、使用者の頭に髪の毛の無いか、はげ頭である場合に、着脱可能な半固定式かつらとして適切に使用することができる。
【０１０３】
頭皮付着部１５は肌色または黒色で形成されてもよく、ベース部１０に約１〜６つが備えられてもよいが、その数が限定されることはない。
【０１０４】
図１５は、本発明の第５実施形態における、かつらの製作方法の順序を示したフローチャートである。
【０１０５】
図１５を参照すると、本発明の第５実施形態に係るかつらの製作方法は、ビニールなどの臨時固定部１１上に多数の紐１０ａ、１０ｂ、１０ｃ、・・・を結合してベース部１０を製作する段階Ｓ１００と、ベース部１０の紐１０ａ、１０ｂ、１０ｃ、・・・に人毛または人造毛髪などのかつら用髪の毛を結んで結合する段階Ｓ２００と、ビニールなどの臨時固定部１１を外す段階Ｓ３００と、使用者の髪の毛をベース部１０の紐１０ａ、１０ｂ、１０ｃ、・・・と結合して固定する段階Ｓ４００とを含んでもよい。
【０１０６】
本実施形態に係るかつらは、使用者の髪の毛に約１〜２ヶ月持続して結合される固定式かつらに該当する。
【０１０７】
本実施形態において、ビニールなどの臨時固定部１１上に多数の紐１０ａ、１０ｂ、１０ｃ、・・・を結合してベース部１０を製作する段階Ｓ１００と、ベース部１０の紐１０ａ、１０ｂ、１０ｃ、・・・に人毛または人造毛髪などのかつら用髪の毛を結んで結合する段階Ｓ２００と、ビニールなどの臨時固定部１１を外す段階Ｓ３００は、第１実施形態と重複するため、第１実施形態の説明を援用することにする。
【０１０８】
本実施形態において、使用者の髪の毛をベース部１０の紐１０ａ、１０ｂ、１０ｃ、・・・に結んで固定する段階Ｓ４００は、使用者の髪の毛のうちいずれか１つと使用者の髪の毛の他の１つを、ベース部１０の紐１０ａ、１０ｂ、１０ｃ、・・・を間に置いて互いに結んで処理するか、グルーによって結合するか、シリコンによって結合する方式によって使用者の髪の毛をベース部１０と結合させてもよい。
【０１０９】
図１６は、多様な形態の固定式かつらを示した図であり、図１７は、多様な方式によって固定式かつらを使用者の頭に固定することを示した図である。
【０１１０】
図１６および図１７を参照すると、本発明の実施形態に係る固定式かつら５０は、円形、正方形、台形、三角形などのように多様に形成されてもよく、固定式かつら５０の全面部には、ウレタン、スキン付着用特殊網、またはウレタン網（ウレタンとスキン付着用特殊網とを結合したもの）のうち少なくとも１つによって形成された頭皮付着部５１が備えられてもよい。このような頭皮付着部５１にはスキン用両面テープが備えられ、このようなテープを利用して使用者の額側に付着することができる。
【０１１１】
固定式かつら５０の場合、使用者の髪の毛をベース部１０の紐１０ａ、１０ｂ、１０ｃ、・・・に結んで固定する段階Ｓ４００は、かつら５０、すなわち、かつら５０のベース部１０内側の髪の毛（図１７（ａ）のｈ１）とかつら５０の外側の髪の毛（図１７（ａ）のｈ２）とを結合してかぎ針によって結ぶか、髪の毛を押すリングを利用して結合するか、グルーまたはシリコンによって接合するか、編み込む方法により、かつら５０を髪の毛に固定させてもよい。
【０１１２】
また、図１７（ｂ）に示すように、固定式かつら５０内側の２つの髪の毛ｈ３、ｈ４を、ベース部１０の紐を間に置いて引き出して互いに結合してかぎ針で結ぶか、リングを利用して結合するか、グルーまたはシリコンによって接合するか、編み込む方法により、かつら５０を髪の毛に固定させてもよい。
【０１１３】
さらに、頭皮付着部５１は、使用者の毛髪の状態に応じ、図１７（ｃ）に示すように、固定式かつら５０の前面ではなく中間に備えられてもよい。この場合にも、頭皮付着部５１は、肌色または黒色で形成されることが好ましい。
【０１１４】
図１８は、本発明の第６実施形態における、かつらの製作方法を示した図であり、図１９は、本発明の第６実施形態における、かつらの製作過程で使用されるかつら用髪の毛の束が備えられた糸を示した図である。
【０１１５】
図１８および図１９を参照すると、先ず、使用者（Ｈ）の頭上で髪の毛のない部位を、ビニールラップなどによってはげ頭フレーム６０の形を取ってもよい（図１８（ａ）参照）。このようなはげ頭フレーム６０は、ビニール材質で形成されるため容易に曲がることから、このようなはげ頭フレーム６０にテープなどを追加で付けることにより、はげ頭フレーム６０が簡単には曲がらなくなり、剛性をもつようになる。このように、はげ頭フレーム６０が硬い剛性の性質をもつことにより、後述するかつら製作のためのフレーム、すなわち、形としての役割を行えるようになる。言い換えれば、ビニール材質のはげ頭フレーム６０にテープなどを付けてはげ頭フレーム６０に剛性が生じるように、すなわち、硬くしてから使用者のはげ頭部分に対応するように枠線を記すようになるが、このような枠線を切ってはげ頭フレーム６０を完成させることができる。
【０１１６】
次に、髪の毛のない頭模型（頭部模型）Ｍの全体にベースビニール７０を被せ、模型の首にベースビニール７０を固定してもよい（図１８（ｂ）参照）。
【０１１７】
次に、図１８（ａ）で形を取ったはげ頭フレーム６０をベースビニール７０が被せられた状態の髪の毛のない頭模型に付け、ペンを利用してはげ頭フレーム６０の枠６１に沿って記してもよい（図１８（ｃ）参照）。このように、頭模型に記された部分がビニール材質（ベースビニール７０）の臨時固定部となる。
【０１１８】
次に、枠が記されたベースビニール７０に待ち針（Ｐ）を刺し、このような待ち針（Ｐ）の間を、図１９に示すように、人毛または人造毛髪などのかつら用髪の毛の束が結ばれている合成糸などの糸材質の紐に連結してもよい（図１８（ｄ）参照）。頭模型（Ｍ）の材質は、待ち針（Ｐ）の挿入が可能なように、軟性のシリコン材質で形成されてもよい。図１９に示すように、人毛または人造毛髪などのかつら用髪の毛の束が所定の間隔に離隔して結ばれているものを「多増毛」と称する。
【０１１９】
次に、ベースビニール７０に結合される紐はジグザグ方向に配列されており、互いに交差する部分を結んで横紐７１および縦紐７２が格子形状を形成してもよい（図１８（ｅ））。このように形成された格子形状のかつらは、かつらの内部の髪の毛（ｈ１）とかつらの外部の髪の毛（ｈ２）とを、互いにベース部の紐を間に置いて引き出して互いに結合してかぎ針で結ぶか、リングを利用して結合するか、グルーまたはシリコンによって接合するか、編み込む方法により、かつらを髪の毛に固定させてもよい（図１８（ｅ）参照）。
【０１２０】
また、これとは異なり、このように形成された格子形状のかつらに、ウレタン、ウレタン網、スキン付着用特殊網材質の頭皮付着部１５、毛髪付着用ベルクロ、またはクリップ結合方式のかつら固定具２０を多数付着させ、半固定式かつらとして活用してもよい（図１８（ｆ）参照）。
【０１２１】
図２０は、本発明の第７実施形態における、かつらの製作方法を示した図である。
【０１２２】
図２０を参照すると、先ず、髪の毛のない頭模型（Ｍ）にかつら固定具２０を臨時固定（仮固定）してもよい。第１かつら固定具２１は、頭模型（Ｍ）の一側に待ち針（Ｐ）によって臨時固定（仮固定）されてもよく、第２かつら固定具２２は、頭模型（Ｍ）の他側に、第１かつら固定具２１と対称になるように待ち針（Ｐ）によって臨時固定（仮固定）されてもよい（図２０（ａ）参照）。このとき、第１かつら固定具２１と第２かつら固定具２２との間の距離は、使用者（Ｈ）が実際にカバーしたい面積に応じて異なるように調節されてもよい。
【０１２３】
次に、第１かつら固定具２１と第２かつら固定具２２に臨時固定（仮固定）された待ち針（Ｐ）の間に多数のかつら用髪の毛紐が予め設定された間隔に離隔して結ばれている紐を連結してもよい（図２０（ｂ）参照）。このとき、多数のかつら用髪の毛の束は、図１９に示すように、人毛または人造毛髪などのかつら用髪の毛の束が所定の間隔に離隔して結ばれている多増毛が連結されてもよい。待ち針（Ｐ）は、かつら固定具２０に備えられた網２１２、２２２の一側に沿って臨時で固定されてもよく、前記多増毛の一端部は、第１かつら固定具２１を臨時固定（仮固定）する待ち針（Ｐ）と結合され、前記多増毛の他の端部は、第２かつら固定具２２を臨時固定（仮固定）する待ち針（Ｐ）と結合されてもよい。
【０１２４】
次に、第１かつら固定具２１および前記第２かつら固定具２２と前記多数のかつら用髪の毛の束を、糸と針を利用して結び目１７を形成してもよい（図２０（ｃ）参照）。結び目１７は、上述した実施形態で示された結び目部１２、１３および固定結び目部１４とは異なり、かつら固定具２０と前記多増毛を連結し、前記多増毛がかつら固定具２０と所定の間隔に広がることを防ぐ役割をしてもよい。一例として、結び目１７は、かつら固定具２０の中央部に少なくとも１つまたはそれ以上が形成されてもよい。
【０１２５】
次に、頭模型（Ｍ）に固定された待ち針（Ｐ）を外してもよく、製作が完成したかつらを頭模型（Ｍ）から分離してもよい。
【０１２６】
また、上述した本発明の第７実施形態に係るかつらの製作方法によって製作されたかつら２つを連結してもよい（図２０（ｄ）参照）。この場合、図７および図８に示すように、２つのかつらのうちいずれか１つのかつらの下端部と残りのかつらの上端部を、針と糸を利用して縫い合わせて製作してもよい。本発明の第７実施形態に係るかつらの製作方法によって製作されたかつらを２つ連結することは、第３実施形態と重複するため、第３実施形態の説明を援用することにする。ただし、第７実施形態では、人毛または人造毛髪などのかつら用髪の毛の束が所定の間隔に離隔して結ばれている多増毛が連結されてもよい。
【０１２７】
図２１は、本発明の第８実施形態における、かつらで紐または多増毛が水平方向に並んで配置された様子を示した図であり、図２２は、本発明の第８実施形態における、かつらで紐または多増毛が水平および垂直方向に互いに交差する様子を示した図である。
【０１２８】
図２１および図２２を参照すると、本発明の第８実施形態に係るかつらは、多数の紐が備えられるベース部、ベース部に結ばれて結合されるかつら用髪の毛、ベース部の縁に備えられ、使用者の頭上に付着するウレタンベースを含んでもよい。
【０１２９】
前記ベース部に多数の紐が備えられる代わりに、多増毛、すなわち、多数のかつら用髪の毛の束が予め設定された間隔に離隔して結ばれている紐が備えられてもよい。このような多増毛が備えられた場合には、ベース部に備えられる紐にかつら用髪の毛を別途に結ぶ必要はない。言い換えれば、ベース部に一般的な紐が備えられる場合には、ベース部に紐を結合させた後に、このような紐にかつら用髪の毛を結ばなければならないが、ベース部に多増毛を結合する場合には、このような多増毛に再度かつら用髪の毛を結ぶ必要はない。
【０１３０】
また、ベース部に備えられた多数の紐または多増毛は、図２１（ａ）〜（ｃ）に示すように、水平方向に並んで配置されてもよく、図２２（ａ）〜（ｃ）に示すように、水平および垂直方向に配列され、格子形態に互いに交差してもよい。
【０１３１】
本発明の第８実施形態に係るかつらは、第５実施形態に係るかつらと同じように、使用者の髪の毛に約１〜２ヶ月に渡って持続して結合される固定式かつらに該当する。また、髪の毛の無いはげ頭、または髪の毛の無い部位に付着して使用することができる。
【０１３２】
かつらの縁には、ウレタン材質のベース枠が備えられてもよい（図２１（ａ）参照）。このとき、前記ウレタンベース枠は、使用者の頭上にグルーまたはテープを利用して付着されてもよい。前記グルーまたはテープは、肌に触れても無害なスキン用グルーまたはテープであってもよい。一例として、前記ウレタンベースの縁は、図に示すように、四角形態や円形、三角形などのような多様な形状で形成されてもよい。
【０１３３】
かつらの上側中央部には、前記ベース枠と同じウレタン材質の固定部が備えられてもよい。一例として、前記ウレタン材質の固定部は、約１．５ｃｍの厚さで形成されてもよい。
【０１３４】
また、かつらの縁に備えられた前記ウレタンベースには、多数の穴が形成されてもよい（図２１（ｂ）参照）。前記穴は、パンチを利用して約１ｃｍの間隔で離隔して形成されてもよい。このとき、前記ウレタンベースには網を結合させてもよく、前記網が結合された状態で前記ウレタンベースに沿って穴を形成してもよい。このような穴は、パンチまたはその他の装置を利用して形成されてもよい。前記穴から使用者の髪の毛を引き出し、外にある髪の毛と共に結んで処理してもよい。一例として、前記穴から引き出した髪の毛と外にある髪の毛とは、結び目、リング、グルー、編み込みなどによって固定してもよい。
【０１３５】
前記ウレタンベースは、かつらの中央部にも備えられてもよい（図２１（ｃ）参照）。したがって、かつらを使用者の頭上にさらにしっかりと固定させることができるという長所がある。また、使用者の髪の毛が少ない部位に応じてかつらを移動させ、かつらの中央部に形成された穴から使用者の髪の毛を引き出し、外にある髪の毛と共に、結び目、リング、グルー、編み込みなどによって固定してもよい。
【０１３６】
前記かつらの縁は、頑丈なキルト糸や特殊な釣糸、その他にも頑丈な糸または多増毛を利用して形成されてもよい。一例として、前記縁に多増毛が結合された場合には、前記多増毛と使用者の髪の毛とを結んで処理することによって固定してもよい。
【符号の説明】
【０１３７】
１０：ベース部
１１：臨時固定部
１２、１３：結び目部
１４：固定結び目部
１５、１６：頭皮付着部
１７：結び目
２０：かつら固定具
２１：第１かつら固定具
２２：第２かつら固定具
２１０、２１０’：第１本体
２１１、２１１’：第１固定脚部
２１２、２２２：網
２２１、２２１’：第２固定脚部
Ｐ：待ち針
【図１】
0006259486.tif 000002
【図２】
0006259486.tif 000003
【図３】
0006259486.tif 000004
【図４】
0006259486.tif 000005
【図５】
0006259486.tif 000006
【図６】
0006259486.tif 000007
【図７】
0006259486.tif 000008
【図８】
0006259486.tif 000009
【図９】
0006259486.tif 000010
【図１０】
0006259486.tif 000011
【図１１】
0006259486.tif 000012
【図１２】
0006259486.tif 000013
【図１３】
0006259486.tif 000014
【図１４】
0006259486.tif 000015
【図１５】
0006259486.tif 000016
【図１６】
0006259486.tif 000017
【図１７】
0006259486.tif 000018
【図１８】
0006259486.tif 000019
【図１９】
0006259486.tif 000020
【図２０】
0006259486.tif 000021
【図２１】
0006259486.tif 000022
【図２２】
0006259486.tif 000023